(57)【要約】【課題】加湿器を構成する各部を効率よく配置し、故障も少なく、デザイン上の制約も受けにくい加湿器を提供する。【解決手段】水を貯留する給水タンク３と、給水タンク３から取水する取水部４と、取水部４で取水した水を霧化させるミスト形成部５と、霧化された水を筐体２の上端の噴き出し口１２から空気と共に噴霧する送風機６と、ミスト形成部４、送風機６を制御する制御回路を含む回路部８とを備え、上部と下部とで構成された花瓶形状の筐体２が、筐体上部に給水タンク３、噴き出し口１２を収容し、筐体下部に取水部４、ミスト形成部５、送風機６、回路８を収容する。【選択図】図２
0003144127.tif 000002
【実用新案登録請求の範囲】
【請求項１】
水を貯留する給水タンクと、
給水タンクから取水する取水部と、
取水部で取水した水を霧化させるミスト形成部と、
霧化された水を筐体上端の噴き出し口から空気と共に噴霧する送風機と、
前記ミスト形成部、前記送風機を制御する制御回路を含む回路部とを備え、
上部と下部とで構成された花瓶形状の筐体が、筐体上部に給水タンク、噴き出し口を収容し、筐体下部に取水部、ミスト形成部、送風機、回路を収容することを特徴とする加湿器。
【請求項２】
前記送風機は、筐体下部から上方へ突出した送風部へ送風し、
前記送風部は、筐体上部に設けられた風通路形成部により隙間を空けて覆われており、
前記送風部の上部に設けられた送風口から出た空気は、前記送風部と前記風通路形成部との隙間の風通路を下方へ送られた後に、前記ミスト形成部へ送られることを特徴とする請求項１に記載の加湿器。
【請求項３】
前記噴き出し口へ繋がる噴き出しノズルの断面には、霧化された水の通過を抑制する抑制機構が備えられていることを特徴とする請求項１又は２に記載の加湿器。
【請求項４】
前記抑制機構は、前記噴き出しノズルの円形断面より小さい半径を有する円板が、複数の連結部により噴き出しノズルの内壁に連結されたものであることを特徴とする請求項１〜３のいずれか１項に記載の加湿器。
【考案の詳細な説明】
【技術分野】
【０００１】
本考案は、水を霧化させて空気と共に噴き出し口から噴霧して加湿を行なう加湿器に関する。
【背景技術】
【０００２】
給水タンクに貯留された水を霧化して、空気と共に噴霧して加湿を行なう加湿器としては、例えば、下記特許文献１に開示されている。
【０００３】
特許文献１には、給水タンクとしての水槽を備え、振動子によって水槽内の水に超音波を伝えることにより霧を発生させ、送風機により水槽内に導入された空気流によって霧を噴き出し口から外部に放出する超音波加湿器が記載されている。この超音波加湿器は、水槽の下壁に振動子が取り付けられ、振動子は水槽の側壁に取り付けられた発振器と配線により接続されている。さらに、水槽の側壁には、水面より上側に送風機が設けられている。
【０００４】
【特許文献１】特開２００６−１２５６４８号公報
【考案の開示】
【考案が解決しようとする課題】
【０００５】
しかし、特許文献１に記載された加湿器では、送風機を水槽の側壁に設けているため、送風機が水面より上側にあったとしても、水槽の水が送風機に浸入して故障するおそれが考えられる。また、水槽の周囲には、送風機のみならず、振動子や発振器などが取り付けられているため、加湿器のデザインには制約が加わることとなる。
【０００６】
したがって、加湿器が、故障が少なく、デザイン上の制約も受けにくくするためには、送風機や振動子などの各部の配置構造を工夫しなければならない。
【０００７】
本考案は上記実情に鑑みてなされたものであり、その課題は、加湿器を構成する各部を効率よく配置し、故障も少なく、デザイン上の制約も受けにくい加湿器を提供することである。
【課題を解決するための手段】
【０００８】
上記課題を解決するため本考案に係る加湿器は、
水を貯留する給水タンクと、
給水タンクから取水する取水部と、
取水部で取水した水を霧化させるミスト形成部と、
霧化された水を筐体上端の噴き出し口から空気と共に噴霧する送風機と、
前記ミスト形成部、前記送風機を制御する制御回路を含む回路部とを備え、
上部と下部とで構成された花瓶形状の筐体が、筐体上部に給水タンク、噴き出し口を収容し、筐体下部に取水部、ミスト形成部、送風機、回路を収容することを特徴とする。
【０００９】
かかる構成による加湿器の作用・効果を説明する。本考案に係る加湿器は、水を貯留する給水タンクと、給水タンクから取水する取水部と、取水部で取水した水を霧化させるミスト形成部と、霧化された水を筐体上端の噴き出し口から空気と共に噴霧する送風機と、前記ミスト形成部、前記送風機を制御する制御回路を含む回路部とを備える。この加湿器の筐体は、花瓶形状をしており、筐体は筐体上部と筐体下部とで構成される。加湿器を構成する各部のうち、給水タンク、噴き出し口は筐体上部に収容され、取水部、ミスト形成部、送風機、回路は筐体下部に収容される。この構成によれば、給水タンクと、その他の各部とは、筐体の上下に分かれており、給水タンクの水がその他の各部に直接浸入しにくく、故障が少なくなる。また、従来の加湿器に比べ、加湿器を構成する各部は、筐体内に効率よく配置され収容されており、筐体の外観デザインに制約を受けにくい。
【００１０】
なお、本考案の花瓶形状とは、胴体部が略球形であって、胴体部から上方へ窄まりながら伸びる首部を備える形状のことであり、雫形状、あるいはティアドロップ（ｔｅａｒｄｒｏｐ）形状等とも称される形状のことである。
【００１１】
本考案の加湿器において、前記送風機は、筐体下部から上方へ突出した送風部へ送風し、前記送風部は、筐体上部に設けられた風通路形成部により隙間を空けて覆われており、前記送風部の上部に設けられた送風口から出た空気は、前記送風部と前記風通路形成部との隙間の風通路を下方へ送られた後に、前記ミスト形成部へ送られることが好ましい。
【００１２】
この構成によれば、送風口が、送風部の上部に設けられているので、ミスト形成部によって霧化された水が送風口から浸入しにくく、さらに、送風口から出た空気が、風通路を下方へ送られた後に、ミスト形成部へ送られるので、霧化した水が空気の流れに逆流して送風口へ浸入することもなく、本考案の加湿器は、故障しにくくなっている。
【００１３】
本考案の加湿器において、前記噴き出し口へ繋がる噴き出しノズルの断面には、霧化された水の通過を抑制する抑制機構が備えられていることが好ましい。
【００１４】
抑制機構により、霧化した水の通過を抑制することで、噴き出しノズルを通過しにくい粒子が大きい水は、噴き出し口から噴霧されず、粒子が小さい水のみが噴き出し口から噴霧されることとなる。粒子が大きい水は、噴き出し口から仮に噴霧されると、重量が重いので、重力により下降して凝集し加湿器の周りを水浸しにしてしまうおそれがあるが、この構成によれば、これを防ぐことができる。
【００１５】
本考案の加湿器において、前記抑制機構は、前記噴き出しノズルの円形断面より小さい半径を有する円板が、複数の連結部により噴き出しノズルの内壁に連結されたものであることが好ましい。
【００１６】
この構成によれば、霧化された水が通過する噴き出しノズルの円形断面は、円板と複数の連結部とによって狭くなっており、粒子の大きい水が噴き出し口から直接噴き出す量は減少する。また、霧化された水のうち、粒子の大きいものは円板に衝突して凝集するので、粒子の大きい水が噴き出し口から噴き出す量はさらに減少する。
【考案を実施するための最良の形態】
【００１７】
本考案に係る加湿器の好適な実施形態を図面を用いて説明する。図１は本考案に係る加湿器を示す外観斜視図である。図２は本考案に係る加湿器の内部構成を示す断面図である。
【００１８】
加湿器１は、図１の斜視図に示すように花瓶形状の外観をしており、霧化された水（以下、単に霧と称することもある）が、加湿器１の上端の噴き出し口１２から空気と共に噴霧され、その周囲を加湿することができる。
【００１９】
加湿器１は、上部と下部に分割可能となっており、筐体２も筐体上部２ａと筐体下部２ｂとに分かれている。筐体上部２ａには、給水タンク３、噴き出し口１２などが収容され、筐体下部２ｂには、取水部４、ミスト形成部５、送風機６、回路部８などが収容されている。各部の構成と配置について、図面を用いて、以下に詳しい説明を行なう。加湿器１を上下に分割し、上部を斜め下方からみた斜視図を図３に示し、下部を斜め上方から見た斜視図を図４に示す。
【００２０】
給水タンク３には、霧化して加湿を行なうための水が貯留される。給水タンク３は、筐体上部２ａ内に収容され、給水タンク３の外形は半球形をしている。ただし、ミスト形成部５で霧化された水を上方の噴き出し口１２に送るために、給水タンク３の中心部には、垂直方向にミスト通路３ａが貫通している。また、給水タンク３には、後述する風通路形成部９が形成されている。なお、給水タンク３への水の供給は、図３のキャップ３ｂを開いて行なわれる。
【００２１】
取水部４は、給水タンク３から取水するためのものである。取水部４は、下部基板２０と一体的に形成されており、図４に示すように、給水タンク３のキャップ３ｂより少し大きい円形の凹部となっている。加湿器１の上部と下部を組み合わせた際には、キャップ３ｂが取水部４内に挿入される。
【００２２】
取水部４は、給水タンク３のキャップ３ｂに設けられた給水機構により、給水タンク３から水を取り出すことができる。給水機構としては、キャップ３ｂに設けられた給水口３ｃをバネ（不図示）で付勢された蓋により内部から閉塞したものが例示される。取水部４としては、円形の凹部の底部であって、キャップ３ｂの蓋に対向する位置に設けられた突起（不図示）が例示される。この例によれば、給水口３ｃは、通常はバネで付勢された蓋によって内部から閉塞されているが、加湿器１の上部と下部を組み合わせた場合には、取水部４側の突起により蓋が内部へ押し込まれ、これにより給水口３ｃは開口するので、給水タンク３の水を給水口３ｃから取り出すことができる。ただし、給水機構と取水部４の構成は、この例に限られるものではない。
【００２３】
ミスト形成部５は、取水部４により給水タンク３から取り出された水を霧化させるためのものである。ミスト形成部５は、取水部４で給水タンク３から取り出した水を溜める貯水部５ａと、この貯水部５ａの底部に取り付けられた超音波振動子５ｂとから構成される。貯水部５ａは、下部基板２０と一体的に形成されている。
【００２４】
貯水部５ａは、図４に示すように、隣接する取水部４の凹部と連通されており、取水部４内の水は貯水部５ａに流入することができる。超音波振動子５ｂは、超音波の振動により貯水部５ａ内の水を霧化させることができ、公知のものを適宜使用することができる。また、貯水部５ａ内には、貯水部５ａ内の水位を測定する水位センサー５ｃを設けておき、一定の水位より低くなった場合には、自動的に超音波振動子５ｂの振動を停止させるようにしてもよい。
【００２５】
送風機６は、ミスト形成部５により霧化された水を噴き出し口１２から空気と共に噴霧、拡散するためのものである。送風機６は、下部基板２０の下面に固定され、筐体下部２ｂ内に収容されている。送風機６は、筐体下部２ｂの底面に設けられた空気孔から取り込んだ空気を上方の送風部７へ送ることができる。
【００２６】
送風部７は、図４に示すように、下部基板２０から突出するように形成されており、内部は空洞となっている。送風部７の形状は、図では、四角錘台をしているが、四角柱、円柱、円錐台などその他の形状でもよい。送風機６は、送風部７の下方に配置されており、送風部７内に空気を送ることができる。
【００２７】
送風機６によって送風部７内に送り込まれた空気は、送風部７の上部に設けられた送風口７ａから排出される。送風口７ａは、送風部７の側壁であって、ミスト形成部５に近い面に形成されている。この送風口７ａは、ミスト形成部５から遠い送風部７の側壁や、送風部７の上面などに形成してもよいが、ミスト形成部５によって霧化された水が送風口７ａから浸入しにくいように、送風部７の上部に設けられていることが好ましい。
【００２８】
加湿器１の上部と下部を組み合わせた際に、送風部７を覆うような形状に風通路形成部９が給水タンク３に形成されている。具体的には、風通路形成部９として、四角錘台の送風部７より少し大きい四角形の凹部が形成されている。
【００２９】
図２において、送風部７と風通路形成部９の周辺を拡大した断面図を図５に示す。風通路形成部９と送風部７との隙間は、送風口７ａから出た空気の通路となるが、本実施形態では、送風部７のミスト形成部５に近い側壁と、風通路形成部９との隙間により、風通路９ａが形成される例を示す。この例では、送風部７のミスト形成部５から遠い側壁は、風通路形成部９とほぼ隙間無く接しており、こちら側には風通路は形成されていない。また、図５の紙面に垂直な方向の送風部７の両側壁と、風通路形成部９との間にも風通路は形成されていない。すなわち、送風部７のミスト形成部５に近い側壁と、風通路形成部９との隙間のみが、風通路９ａとして機能する。
【００３０】
送風口７ａから出た空気は、図５に矢印で示すように、風通路９ａを下方向へ送られた後、通風口９ｂを通ってミスト形成部５の上部へ送られる。この送られた空気は、ミスト形成部５により霧化された水を、給水タンク３の中心に設けられたミスト通路３ａへと上昇させる。ミスト通路３ａの上端は、筐体上部２ａと一体として形成されたパイプ状の噴き出しノズル１０と接続されている。このため、ミスト通路３ａ内の霧は、空気の流れによって噴き出しノズル１０内をさらに上昇させられ、最終的には噴き出し口１２から噴霧される。
【００３１】
噴き出しノズル１０内には、図６に示すような、霧の通過を抑制する抑制機構が備えられていることが好ましい。図６は、噴き出しノズル１０を、下側、すなわち、給水タンク３側から見た図を示している。抑制機構１１は、具体的には、噴き出しノズル１０の円形断面より小さい半径を有する円板１１ａが、複数の連結部１１ｂにより噴き出しノズル１０の内壁に連結されている。なお、連結部１１ｂの数は、図６（ａ）のように３本であっても、図６（ｂ）のように４本であってもよい。
【００３２】
この抑制機構１１を噴き出しノズル１０に形成することで、噴き出しノズル１０の断面は、円板１１ａと複数の連結部１１ｂとによって狭くなっており、霧化された水のうち粒子の大きいものが噴き出し口１２から直接噴き出す量が減少する。また、霧化された水のうち粒子の大きいものは円板１１ａに衝突して凝集するので、粒子の大きい水が噴き出し口１２から噴き出す量はさらに減少する。これにより、粒子が大きい水が噴き出し口１２から噴霧され、加湿器１の周りを水浸しにしてしまうことを防ぐことができる。
【００３３】
また、筐体下部２ｂには、超音波振動子５ｂ、送風機６を制御する制御回路を含む回路部８が収容されている。回路部８は、不図示のスイッチからのオンオフの信号により、超音波振動子５ｂと送風機６のオンオフを行なったり、上述した水位センサー５ｃの信号により自動的に超音波振動子５ｂと送風機６をオフにしたりすることができる。
【００３４】
＜別実施形態＞
取水部４と、ミスト形成部５の貯水部５ａとの間に、ヒーターを設けてもよい。ヒーターは、水を約６５℃に加熱することができ、これにより、水を殺菌しカビの繁殖を防ぐことができる。
【図面の簡単な説明】
【００３５】
【図１】加湿器の外観斜視図
【図２】加湿器の内部構成を示す断面図
【図３】加湿器上部を斜め下方から見た斜視図
【図４】加湿器下部を斜め上方から見た斜視図
【図５】空気と霧の流れを説明するための図
【図６】噴き出しノズル内の抑制機構を説明するための図
【符号の説明】
【００３６】
１    加湿器
２    筐体
２ａ  筐体上部
２ｂ  筐体下部
３    給水タンク
４    取水部
５    ミスト形成部
６    送風機
７    送風部
７ａ  送風口
８    回路部
９    風通路形成部
９ａ  風通路
１０    噴き出しノズル
１１    抑制機構
１１ａ  円板
１１ｂ  連結部
１２    噴き出し口
【図１】
0003144127.tif 000003
【図２】
0003144127.tif 000004
【図３】
0003144127.tif 000005
【図４】
0003144127.tif 000006
【図５】
0003144127.tif 000007
【図６】
0003144127.tif 000008